(57)【要約】      （修正有）【課題】電子部品を実装可能な面積の確保と光の漏れ出しの抑制とが両立可能な表示装置の提供。【解決手段】表示装置には、発光表示される意匠部が設けられている。表示装置は、発光ダイオード３０と、発光ダイオード３０及び複数の電子部品３１が実装面５１に実装されるプリント配線板５０と、遮光性の材料によって形成された遮光壁６２とを備えている。遮光壁６２は、発光ダイオード３０の周囲を囲む筒状に形成され、実装面５１と当接するよう設けられた背面側当接部６４、及び背面側当接部６４から意匠部の周囲に向けて延伸する延伸部を有している。実装面５１のうちで遮光壁６２を挟んで発光ダイオード３０とは反対側の領域には、遮光載置物７０が載置されている。遮光載置物７０は、背面側当接部６４及び実装面５１の間に生じた隙間ｉｓから漏れ出る発光ダイオード３０の光の進行を妨げるよう位置している。【選択図】図６
2015138156.tif 000002
【特許請求の範囲】
【請求項１】
発光表示される意匠部（２１）が設けられた表示装置であって、
前記意匠部を発光させる光を放射する発光素子（３０）と、
前記発光素子及び複数の電子部品（３１）が実装面（５１）に実装されるプリント配線板（５０）と、
遮光性の材料によって前記発光素子の周囲を囲む筒状に形成され、当該発光素子の周囲にて前記実装面と接するよう設けられる当接部（６４，２６４．３６４）、及び前記当接部から前記意匠部の周囲に向けて延伸する延伸部（６５，３６５）、を有する筒状壁（６２，２６２，３６２）と、
前記実装面のうちで前記筒状壁を挟んで前記発光素子とは反対側の領域に載置され、前記当接部及び前記実装面の間の隙間（ｉｓ）から漏れ出る前記発光素子からの光（Ｌ_ｌ）の進行を妨げるよう位置する遮光載置物（７０）と、を備えることを特徴とする表示装置。
【請求項２】
前記プリント配線板の板厚方向に沿った前記遮光載置物の高さは、前記実装面及び前記当接部の間において想定される最大の隙間よりも大きいことを特徴とする請求項１に記載の表示装置。
【請求項３】
前記筒状壁（２６２）は、前記遮光載置物と接触していることを特徴とする請求項１又は２に記載の表示装置。
【請求項４】
前記筒状壁（３６２）は、前記遮光載置物を前記実装面に向けて付勢する付勢部（３６６）を有することを特徴とする請求項３に記載の表示装置。
【請求項５】
前記電子部品が、前記遮光載置物を兼ねることを特徴とする請求項１〜４のいずれか一項に記載の表示装置。
【請求項６】
前記プリント配線板には、前記発光素子に流れる電流を制御する駆動回路（１９）が形成され、
前記駆動回路に含まれる前記電子部品が、前記遮光載置物を兼ねることを特徴とする請求項１〜５のいずれか一項に記載の表示装置。
【請求項７】
前記発光素子は、前記実装面に少なくとも二つ実装され、
二つの前記筒状壁が、二つの前記発光素子のそれぞれを囲むよう設けられ、
前記遮光載置物は、二つの前記筒状壁の間に載置されることを特徴とする請求項１〜６のいずれか一項に記載の表示装置。
【請求項８】
前記遮光載置物は、前記実装面に複数載置されることを特徴とする請求項１〜７のいずれか一項に記載の表示装置。
【請求項９】
複数の前記遮光載置物は、前記筒状壁に沿って並ぶことを特徴とする請求項８に記載の表示装置。
【請求項１０】
複数の前記遮光載置物は、前記筒状壁に沿ってジグザグに並ぶことを特徴とする請求項８又は９に記載の表示装置。
【発明の詳細な説明】
【技術分野】
【０００１】
本発明は、発光表示される意匠部が設けられた表示装置に関する。
【背景技術】
【０００２】
従来、意匠部を発光表示させるための構成として、例えば特許文献１には、光源、実装面に光源等が実装された基板、及び意匠部を形成する表示板を備える表示器構造が開示されている。この表示器構造では、光源の周囲を囲む筒状の遮光壁がさらに設けられている。遮光壁は、基板に実装された光源の周囲から表示板に形成された意匠部の周囲まで延伸しており、光源からの光を意匠部まで導いている。
【先行技術文献】
【特許文献】
【０００３】
【特許文献１】特開２００８−１１６８７６号公報
【発明の概要】
【発明が解決しようとする課題】
【０００４】
さて、光源として一般に採用される発光ダイオード等の発光素子は、近年、小型化と、発光角度の広角化とが急速に進んでいる。その結果、実装面に実装された発光素子からの光の一部は、実装面に非常に近い位置から、当該実装面に沿って放射されることとなる。一方で、表示装置においては、各部品の材料の歪みや製造上の公差、熱収縮、及び振動等の種々の要因に起因して、遮光壁と実装面との間に隙間が不可避的に生じる。そのため、上述したような実装面に沿う光が当該実装面に近い位置から放射されると、この光は、遮光壁及び実装面の間の隙間から容易に漏れ出し得る。以上のように、近年の発光素子の変化によって新たな課題が生じてきていることを本発明の発明者は見つけ出したのである。
【０００５】
こうした光の漏れ出しを防ぐためには、遮光壁と実装面との接触面積を拡大する設計が有効である。しかし、遮光壁と実装面との接触面積を拡大してしまうと、この実装面のうちで、電子部品を実装可能な面積が狭くなってしまう。そのため、接触面積を拡大することは、望ましい対策手法とは言い難かった。
【０００６】
本発明は、以上説明した問題に鑑みてなされたものであって、その目的は、電子部品を実装可能な面積の確保と光の漏れ出しの抑制とが両立可能な表示装置を提供することである。
【課題を解決するための手段】
【０００７】
上記目的を達成するために、第１の発明は、発光表示される意匠部（２１）が設けられた表示装置であって、意匠部を発光させる光を放射する発光素子（３０）と、発光素子及び複数の電子部品（３１）が実装面（５１）に実装されるプリント配線板（５０）と、遮光性の材料によって発光素子の周囲を囲む筒状に形成され、当該発光素子の周囲にて実装面と接するよう設けられる当接部（６４，２６４．３６４）、及び当接部から意匠部の周囲に向けて延伸する延伸部（６５，３６５）、を有する筒状壁（６２，２６２，３６２）と、実装面のうちで筒状壁を挟んで発光素子とは反対側の領域に載置され、当接部及び実装面の間の隙間（ｉｓ）から漏れ出る発光素子からの光（Ｌ_ｌ）の進行を妨げるよう位置する遮光載置物（７０）と、を備える表示装置とする。
【０００８】
この発明によれば、実装面と接するよう設けられた当接部と発光素子の実装された実装面との間に不可避的に隙間が生じた場合でも、隙間から漏れ出る発光素子からの光は、筒状壁を挟んで発光素子とは反対側に載置された遮光載置物によって進行を妨げられ得る。故に、当接部が実装面と接触する接触面積の拡大を回避しつつ、光の漏れ出しは、抑制される。加えて、実装面及び当接部間の接触面積が抑えられることによれば、当該実装面のうちで、電子部品を実装可能な面積は、確保され得る。以上のように、実装面への遮光載置物の載置によれば、プリント配線板において電子部品を実装可能な面積の確保と、意匠部を外れた範囲への光の漏れ出しの抑制とが、両立可能となる。
【０００９】
尚、上記括弧内の参照番号は、本発明の理解を容易にすべく、後述する実施形態における具体的な構成との対応関係の一例を示すものにすぎず、本発明の範囲を何ら制限するものではない。
【図面の簡単な説明】
【００１０】
【図１】本発明の一実施形態によるコンビネーションメータの正面図である。
【図２】コンビネーションメータの電気的構成を示すブロック図である。
【図３】駆動回路の詳細を示す回路図である。
【図４】コンビネーションメータの機械的構成を示す図であって、図１のＩＶ−ＩＶ線断面図である。
【図５】遮光載置物として機能する電子部品の配置を示す図であって、図４のＶ−Ｖ線断面図である。
【図６】図４の領域ＶＩを拡大して示す拡大図である。
【図７】遮光壁の変形例を示す図である。
【図８】遮光壁の別の変形例を示す図である。
【発明を実施するための形態】
【００１１】
図１に示す本発明の一実施形態によるコンビネーションメータ１００は、車両に関する種々の情報の表示する表示装置である。コンビネーションメータ１００は、車両の車室内に設けられたインスツルメントパネル内に収容され、図１に示す正面側を運転席側に向けて配置されている。
【００１２】
コンビネーションメータ１００の表示は、二つの指針表示部１１，１２、マルチ表示部１３、及び複数のテルテール２０等によって構成されている。各指針表示部１１，１２は、回転する各指針１４によって情報を表示する。マルチ表示部１３は、表示画面１６に形成される種々の画像によって情報を表示する。テルテール２０は、意匠部２１を発光表示させることによって情報を表示する。テルテール２０は、車両に関する種々の警告を視認者に対して行う警告灯である。
【００１３】
コンビネーションメータ１００は、図２に示すように、バッテリ９２等から供給される電力によって作動する電気的構成として、二つのステッパーモータ１５、液晶ディスプレイ１７、複数の発光ダイオード３０、及び制御部１８を備えている。
【００１４】
ステッパーモータ１５は、制御部１８と接続されており、制御部１８から出力される制御信号に基づいて指針１４（図１参照）を回転させる。液晶ディスプレイ１７は、制御部１８と接続されており、制御部１８から出力される制御信号に基づいて表示画面１６（図１参照）に画像を表示させる。
【００１５】
発光ダイオード３０は、特定の色の光を放射することにより、意匠部２１を発光表示させる光源である。発光ダイオード３０は、駆動回路１９を介して制御部１８と接続されており、制御部１８から出力される制御信号に基づいて発光する。駆動回路１９は、制御部１８からの制御信号に基づいて、発光ダイオード３０に流れる電流を制御する。駆動回路１９は、図３に示すように、給電経路１９ａ、信号経路１９ｂ、給電経路１９ａに設けられる抵抗器３２、信号経路１９ｂに設けられる抵抗器３３、及びＮＰＮ型のトランジスタ３４等によって構成されている。制御部１８からの制御信号により、信号経路１９ｂを通じてトランジスタ３４のベースに電圧が印加されると、給電経路１９ａを通じてトランジスタ３４のコレクタからエミッタへと電流が流れる。こうして流れる電流により、発光ダイオード３０が発光する。
【００１６】
図２に示す制御部１８は、プログラムによって作動するマイクロコンピュータ、車内Local Area Network（ＬＡＮ）９１と情報をやり取りするインターフェース、及び各要素１５，１７，３０に電力を供給する電源回路等によって構成されている。制御部１８は、車内ＬＡＮ９１に出力された車両の情報を取得し、取得した情報に基づく制御信号を各ステッパーモータ１５、液晶ディスプレイ１７、及び各駆動回路１９に出力する。
【００１７】
次に、コンビネーションメータ１００の機械的構成を、図１及び図４に基づいて説明する。コンビネーションメータ１００は、表示板４０、プリント配線板５０、及び筐体６０等によって構成されている。以下の説明では、プリント配線板５０の板厚方向に沿って当該プリント配線板５０から表示板４０に向かう方向を正面方向ＦＤとし、この正面方向ＦＤと反対の方向を背面方向ＢＤする。
【００１８】
表示板４０は、シート状に成形されたポリカーボネート等の透明樹脂材料に、遮光性の印刷を施すことによって形成されている。表示板４０には、複数の意匠部２１が設けられている。意匠部２１は、遮光性の印刷に替えて、透光性の印刷を施すことによって形成されている。意匠部２１は、テルテール２０の報知情報をアイコン化した形状である。意匠部２１は、背面方向ＢＤから照射された光を正面方向ＦＤに透過させることにより、発光する。
【００１９】
プリント配線板５０は、所定の配線パターンが形成された硬質の回路基板である。プリント配線板５０には、上述の駆動回路１９を含む複数の回路が形成されている。プリント配線板５０の板面方向は、表示板４０の板面方向に沿っている。プリント配線板５０の両板面のうち、正面方向ＦＤを向く実装面５１には、複数の発光ダイオード３０及び複数の電子部品３１が実装されている。実装面５１に載置された各発光ダイオード３０は、それぞれ意匠部２１の背面方向ＢＤに位置している。発光ダイオード３０の発光角度θｉは、１８０°程度とされている。発光ダイオード３０は、実装面５１に非常に近い位置から、当該実装面５１に沿った各方向へと光を放出する。
【００２０】
筐体６０は、コンビネーションメータ１００の外観を形成しており、当該メータ１００の各構成を収容することにより、これらを雰囲気中の塵や埃等から保護している。筐体６０は、フロントパネル６８及びリヤケース６９と、これらが組み付けられる支持部材６１を備えている。
【００２１】
フロントパネル６８は、例えば無色透明な樹脂材料によって形成されている。フロントパネル６８は、表示板４０の正面方向ＦＤに位置し、支持部材６１に正面方向ＦＤから取り付けられている。リヤケース６９は、例えば光を透過させない黒色の樹脂材料によって形成されている。リヤケース６９は、プリント配線板５０の背面方向ＢＤに位置し、支持部材６１に背面方向ＢＤから取り付けられている。
【００２２】
支持部材６１は、例えばポリフェニレンサルファイド等の遮光性を有する白色の樹脂材料によって形成されている。支持部材６１は、背面方向ＢＤから表示板４０を支持すると共に、正面方向ＦＤからプリント配線板５０を支持している。支持部材６１には、複数の遮光壁６２が各発光ダイオード３０をそれぞれ囲むよう設けられている。
【００２３】
各遮光壁６２は、図４及び図５に示すように、各発光ダイオード３０の周囲を囲む筒状に形成されている。複数の遮光壁６２のうち、隣接する二つは、互いに繋がっている。遮光壁６２は、発光ダイオード３０から放射された光を、その正面方向ＦＤに位置する意匠部２１に拡散させつつ導光すると共に、隣り合う発光ダイオード３０から放射された光の混合を抑制している。遮光壁６２によって区画される空間が、意匠部２１に光を導光するための拡散室６２ａとなる。実装面５１に沿う拡散室６２ａの横断面は、正面方向ＦＤに向かうに従って、漸増している。拡散室６２ａの横断面は、矩形状とされている。
【００２４】
各遮光壁６２は、正面側当接部６３、背面側当接部６４、及び延伸部６５をそれぞれ有している。正面側当接部６３は、遮光壁６２の軸方向の両端部のうち、表示板４０に近接した一方の端部によって形成されている。正面側当接部６３は、意匠部２１の周囲にて表示板４０の背面と接するよう設けられている。隣接する二つの遮光壁６２は、正面側当接部６３を一体的に形成している。背面側当接部６４は、遮光壁６２の軸方向の両端部のうち、プリント配線板５０に近接した他方の端部によって形成されている。背面側当接部６４は、発光ダイオード３０の周囲にて実装面５１と接するよう設けられている。延伸部６５は、背面側当接部６４から発光ダイオード３０の周囲に向けて、例えば５０〜８０°程度のテーパ角度で延伸する拡大テーパ状に形成されており、正面側当接部６３に到達している。正面側当接部６３が背面側当接部６４よりも外周側に位置しているため、延伸部６５は、正面方向ＦＤに沿う軸線に対して傾斜した姿勢に形成されている。尚、延伸部６５のテーパ角度は、例えば５０〜８０°程度である。
【００２５】
次に、実装面５１に載置される遮光載置物７０の詳細を、図４〜図６に基づいて以下説明する。
【００２６】
コンビネーションメータ１００では、筐体６０及びプリント配線板５０の歪み及び製造上の公差、熱収縮、並びに振動等の種々の要因に起因して、実装面５１と背面側当接部６４との間に隙間ｉｓが不可避的に生じる。そして上述したように、各発光ダイオード３０からは実装面５１に沿う光が放射されているため、一部の光Ｌ_ｌは、僅かな隙間ｉｓからでも遮光壁６２の外側へと漏れ出し得る。
【００２７】
遮光載置物７０は、上述したような隙間ｉｓから漏れ出した光Ｌ_ｌの進行を妨げるために実装面５１に設けられている。本実施形態では、実装面５１に実装された複数の電子部品３１のうちの一部が、遮光載置物７０を兼ねている。遮光載置物７０として機能する電子部品３１は、実装面５１のうちで遮光壁６２を挟んで発光ダイオード３０とは反対側の領域に複数載置されている。駆動回路１９に含まれる二つの抵抗器３２，３３及びトランジスタ３４も、遮光載置物７０を兼ねる電子部品３１である。遮光載置物７０を兼ねる各電子部品３１について、プリント配線板５０の板厚方向に沿った高さ（例えば０．５〜１ｍｍ程度）は、実装面５１及び背面側当接部６４の間において想定される最大の隙間ｉｓ（例えば０．０５ｍｍ程度）よりも大きくされている。
【００２８】
加えて、個々に遮光壁６２によって囲まれた複数の発光ダイオード３０が並ぶ本実施形態では、遮光載置物７０を兼ねる各電子部品３１は、互いに隣接した二つの遮光壁６２の間に載置されている。各電子部品３１は、遮光壁６２の延設方向に沿って三列に並べられている。三列に並べられた電子部品３１のうち、特定の遮光壁６２に近接する二列の電子部品３１が、この遮光壁６２から漏れ出す光Ｌ_ｌの進行を妨げる機能を発揮する。二列の電子部品３１は、遮光壁６２に沿ってジグザグに並んでいる。そのため、二列のうちで遮光壁６２に近い一方の列の電子部品３１間に生じる間隙ｄの外周側には、遮光壁６２から遠い他方の列の電子部品３１が位置している。
【００２９】
ここまで説明した本実施形態によれば、図６に示すように、実装面５１と背面側当接部６４との間に不可避的に生じた隙間ｉｓから漏れ出る発光ダイオード３０の光Ｌ_ｌは、実装面５１に載置された各遮光載置物７０により、進行を妨げられ得る。故に、実装面５１及び背面側当接部６４の間における接触面積の拡大を回避しつつ、隣接する拡散室６２ａ等への光Ｌ_ｌの漏れ出しは、抑制される。加えて、実装面５１及び背面側当接部６４の間の接触面積が抑えられることによれば、当該実装面５１のうちで、電子部品３１を実装可能な面積は、確保され得る。以上のように、実装面５１に遮光載置物７０を載置することによれば、プリント配線板５０において電子部品３１を実装可能な面積の確保と、意匠部２１を外れた範囲への光Ｌ_ｌの漏れ出しの抑制とが、両立可能となる。
【００３０】
加えて本実施形態では、各遮光載置物７０の高さが、実装面５１及び背面側当接部６４の間において想定される最大の隙間ｉｓよりも、大きくされている。故に、隙間ｉｓから漏れ出した光Ｌ_ｌを、各遮光載置物７０に確実に当てさせることができる。したがって、光Ｌ_ｌの進行を妨げる遮光載置物７０の機能が、確実に発揮される。
【００３１】
また本実施形態のように、プリント配線板５０に実装された電子部品３１が遮光載置物７０を兼ねていれば、電子部品３１を実装するための面積が遮光載置物７０を設けたことに起因して狭められる事態は、実質生じ得ない。故に、遮光載置物７０として電子部品３１を用いることによれば、実装面積の確保は、いっそう容易となる。
【００３２】
さらに本実施形態では、駆動回路１９に含まれる各抵抗器３２，３３及びトランジスタ３４が遮光載置物７０を兼ねているため、駆動回路１９は、プリント配線板５０において発光ダイオード３０に近い領域に形成され得る。その結果、駆動回路１９から発光ダイオード３０までの配線パターンを短縮できるようになるので、他の電子部品３１を実装するための面積が、いっそう確保容易となる。
【００３３】
また加えて本実施形態では、隣接する二つの発光ダイオード３０をそれぞれ遮光壁６２で囲ったうえで、これら遮光壁６２の間に、遮光載置物７０が載置されている。こうした構成であれば、実装面５１及び各遮光壁６２間の各隙間ｉｓから漏れ出す光Ｌ_ｌの進行が、各電子部品３１によって共に妨げられ得る。以上のように、隣接する二つの遮光壁６２の間に遮光載置物７０を載置する構成であれば、光Ｌ_ｌの漏れ出しを抑制する作用が、いっそう効果的に発揮される。
【００３４】
さらに加えて本実施形態では、複数の電子部品３１を遮光載置物７０として用いることにより、複数の遮光載置物７０が漏れ出した光Ｌ_ｌの進行を妨げる機能を果たし得る。故に、遮光壁６２から漏れ出した光Ｌ_ｌにより、当該遮光壁６２の外周側にある意匠部２１が誤って照明されてしまう事態は、高い確実性を持って回避されるようになる。
【００３５】
またさらに、本実施形態の如く遮光壁６２に沿って並ぶ各電子部品３１の配置によれば、実装面５１に沿う各方向へ漏れ出した光Ｌ_ｌは、各電子部品３１によって悉く進行を妨げられるようになる。また、電子部品３１を遮光載置物７０として用いる場合、複数の電子部品３１同士を密着させつつ並べることは、困難である。しかし、各電子部品３１をジグザグに並べることにより、隣接する電子部品３１の間の間隙ｄを通過した光Ｌ_ｌは、外周側の列の電子部品３１によって進行を妨げられるようになる（図５参照）。故に、実装面５１に沿う各方向へ漏れ出した光Ｌ_ｌの進行を悉く妨げる作用は、さらに高い確実性を持って発揮されるようになる。
【００３６】
尚、本実施形態において、発光ダイオード３０が特許請求の範囲に記載の「発光素子」に相当し、背面側当接部６４が特許請求の範囲に記載の「当接部」に相当し、遮光壁６２が特許請求の範囲に記載の「筒状壁」に相当する。
【００３７】
（他の実施形態）
以上、本発明による一実施形態について説明したが、本発明は、上記実施形態に限定して解釈されるものではなく、本発明の要旨を逸脱しない範囲内において種々の実施形態及び組み合わせに適用することができる。
【００３８】
上記実施形態の変形例１では、図７に示すように、遮光載置物７０として機能させる電子部品３１を遮光壁２６２に近接させる構成により、遮光壁２６２が電子部品３１と接触している。以上のように、遮光載置物７０と遮光壁２６２とを接触させれば、実装面５１からの背面側当接部２６４の離間により生じた隙間ｉｓより漏れ出した発光ダイオード３０の光Ｌ_ｌは、遮光載置物７０を乗り越え困難となる。そのため、遮光載置物７０による光の進行を妨げる作用が、より確実に発揮される。尚、変形例１では、背面側当接部２６４が特許請求の範囲に記載の「当接部」に相当し、遮光壁２６２が特許請求の範囲に記載の「筒状壁」に相当する。
【００３９】
また、上記実施形態の別の変形例２では、図８に示すように、遮光壁３６２に付勢部３６６が設けられている。付勢部３６６は、延伸部３６５から背面方向ＢＤに向けて突出する形状により、遮光載置物７０としての電子部品３１の頂面に接触している。付勢部３６６は、電子部品３１を実装面５１に向けて、背面方向ＢＤに付勢している。このような構成により、付勢部３６６と遮光載置物７０とが密着することによれば、遮光壁３６２及び遮光載置物７０の間には、隙間が生じ難くなる。そのため、実装面５１及び背面側当接部３６４の間の隙間ｉｓから漏れ出した光Ｌ_ｌは、遮光載置物７０及び付勢部３６６の協働により、確実に遮光されるようになる。尚、変形例２では、背面側当接部３６４が特許請求の範囲に記載の「当接部」に相当し、遮光壁３６２が特許請求の範囲に記載の「筒状壁」に相当する。
【００４０】
上記実施形態では、コンビネーションメータを作動させるための回路を構成する電子部品が遮光載置物を兼ねていた。このような遮光載置物として用いられる電子部品は、発光ダイオードのような発光素子でないことが望ましい。また、遮光載置物として機能する電子部品の外表面は、漏れ出した光をさらに反射させないよう、黒色等の暗色であることが望ましい。加えて、漏れ出した光の反射抑制のためには、電子部品の外表面は、光沢の無い粗い状態であることが望ましい。
【００４１】
また加えて、電子部品は、直方体形状又は立方体形状であることが望ましい。こうした形状であれば、電子部品において隙間ｉｓに向けられる側面が、実装面に対して実質直交する姿勢となる。直方体形状の電子部品では、例えば底面の一辺の長さは、１〜数ｍｍ程度である。
【００４２】
さらに、遮光載置物は、電子部品に限定されない。例えば、実装面に載置された半田、リード及びターミナル、並びにシルクスクリーン印刷の塗料等が、遮光載置物として採用可能である。以上の遮光載置物の高さは、想定される最大隙間より大きいことが望ましいものの、当該最大隙間より小さくてもよい。
【００４３】
上記実施形態において、遮光載置物として機能する電子部品は、二つの遮光壁の間に三列で並べられていた。しかし、こうした遮光載置物の配置は、適宜変更可能である。例えば変形例２のように、遮光載置物として機能する電子部品が、二つの遮光壁間に、当該遮光壁に沿って一列に並んでいてもよい。また、遮光載置物は、遮光壁に沿って並んでいなくてもよく、漏れ出す光を遮るために最適な位置に、適宜配置されてよい。
【００４４】
上記実施形態では、発光角度が１８０°以上となるような照射角の広い発光ダイオードが採用されていた。しかし、発光角度が１８０°未満となる発光ダイオードが用いられたコンビネーションメータにおいても、拡散室内にて反射を繰り返すことにより、隙間からの光の漏れ出しは生じ得る。故に、遮光載置物によって隙間から漏れ出した光を遮る構成は、発光ダイオードの発光角度にかかわらず、隣接する意匠部等への光の漏れ出しを抑制する効果を発揮することができる。
【００４５】
以上、発光表示可能なテルテールが複数並ぶコンビネーションメータに本発明を適用することにより、隣接するテルテールへの光漏れを抑制した例を説明した。しかし、本発明は、テルテールに限定されず、意匠部を発光表示させるため照明構造に採用可能である。さらに、車両用に限らず、各種民生用機器、各種輸送機器等に用いられる表示装置全般に、本発明は適用可能である。
【符号の説明】
【００４６】
ｉｓ  隙間、Ｌ_ｌ  光、１９  駆動回路、２１  意匠部、３０  発光ダイオード（発光素子）、３１  電子部品、５０  プリント配線板、５１  実装面、６２，２６２，３６２  遮光壁（筒状壁）、６４，２６４，３６４  背面側当接部（当接部）、６５，３６５  延伸部、７０  遮光載置物、１００，  コンビネーションメータ（表示装置）
【図１】
2015138156.tif 000003
【図２】
2015138156.tif 000004
【図３】
2015138156.tif 000005
【図４】
2015138156.tif 000006
【図５】
2015138156.tif 000007
【図６】
2015138156.tif 000008
【図７】
2015138156.tif 000009
【図８】
2015138156.tif 000010